(57)【要約】【課題】差し込んだ紙類を確実に保持することができ、かつ差込みとともに、引き抜きのし易いペーパーホルダーを提供する。【解決手段】本体１０は、紙類の差込み方向に沿って延び紙類を誘導する誘導面１１ａが形成された誘導板部１１を備える。本体１０内には、差し込まれた紙類に接触する接触体３０を備える。接触体３０は、紙類に接触するその一方端部３１と誘導面１１ａとの間に、紙類が通過可能な空隙部４０を有するように配設される。誘導板部１１は、側面視、空隙部４０に対応する位置よりも、本体１０の内側方向に膨らむ膨出部であって、空隙部４０に対応する位置の上方に設けられた上方膨出部１１ｃ及び／又は空隙部４０に対応する位置の下方に設けられた下方膨出部１１ｂを備える。【選択図】図１
2019199075.tif 000002
【特許請求の範囲】
【請求項１】
本体の下方に差込口を備え、該差込口より下方から上方へ向けて本体内に差し込まれた紙類を保持するペーパーホルダーにおいて、
前記本体は、上下方向に延び前記紙類を誘導する誘導面が形成された誘導板部を備え、
前記本体内には、差し込まれた前記紙類に接触する接触体を備え、
前記接触体は、前記誘導面との間に前記紙類が通過可能な空隙部を有するように配設され、
前記誘導板部は、側面視、前記空隙部に対応する位置よりも、前記本体の内側方向に膨らむ膨出部であって、前記空隙部に対応する位置の上方に設けられた上方膨出部及び／又は前記空隙部に対応する位置の下方に設けられた下方膨出部、を備えている、
ペーパーホルダー。
【請求項２】
前記接触体は、ゴム弾性を有し、前記誘導面に対向する側から前記誘導面へ向けて、上方へ傾斜して伸びるように配設され、
前記本体の差込口には、前記接触体の下に、側面視、前記誘導面へ対向する側から、前記接触体の、前記紙類に接触する部分へ向けて斜め上方へ傾斜して伸びる、差込案内面が設けられている、請求項１に記載のペーパーホルダー。
【請求項３】
前記接触体は、側面視、前記紙類に接触する一方端部が曲面状に形成されるとともに、他方端部側において凹部及び薄肉部が形成され、
前記誘導面に対向する側から、前記誘導面へ向けて、上方へ傾斜して伸びるように配設され、前記他方端部側において前記本体に支持されている、請求項１又は２に記載のペーパーホルダー。
【発明の詳細な説明】
【技術分野】
【０００１】
本発明は、下方から上方へ向けて本体内に差し込まれた紙類を保持するペーパーホルダーに関する。
【背景技術】
【０００２】
従来、この種のペーパーホルダーとしては各種のものがあるが、その基本構造は、紙類を挿入するための開口部を有するとともに、ケースの内部に紙類を保持するための保持部材を備えて構成されている。
特許文献１に開示された挟持具は、突起抵抗体（１）の先端部分（２）を、対向面となる押え付け板（１０）と接触状態にして挟持具を構成している（［０００４］）。
特許文献２には、背板（１）の前面上部に横方向に複数個の球（３）を列設した球収容部（２）が設けられ、該球収容部（２）は球載置部（４）が背板（１）に向け斜め下方へ傾斜していると共に、背板（１）と球載置部（４）間に間隙（５）が設けられていることを特徴とする吊り下げ用クリップが記載されている。このクリップによれば、紙片を横に並べて違った個所に差し込んでも一定の圧力で紙片を挟むことができるという効果が奏される。
上記特許文献１に記載された発明は、紙片を抵抗体（１）と押え付け板（１０）とで挟持するものであり、また、特許文献２に記載された発明は、紙片を球（３）と背板（１）とで挟むものであり、両者とも、紙片を両側から挟むことにより押圧して保持するものである。このため、紙片を下方へ引き抜くのにこの押圧力より大きな相応の力が必要であり、紙片の引き抜きが必ずしも容易に行えないという問題がある。
例えば、飲食店の厨房等においては、注文を受けた、調理すべき料理の記載された伝票類等の紙片を複数枚横に並べて掲げて作業することが行われているが、紙片の差込みや引き抜きが頻繁に行われるため、差込みとともに、引き抜きのし易いホルダーが望ましい。
【先行技術文献】
【特許文献】
【０００３】
【特許文献１】実開平７−２０７４号公報
【特許文献２】実開平３−１１６９８２号公報
【発明の概要】
【発明が解決しようとする課題】
【０００４】
本発明の課題は、差し込んだ紙類を確実に保持することができ、かつ差込みとともに、引き抜きのし易いペーパーホルダーを提供することにある。
【課題を解決するための手段】
【０００５】
（１）本体の下方に差込口を備え、該差込口より下方から上方へ向けて本体内に差し込まれた紙類を保持するペーパーホルダーにおいて、
前記本体は、上下方向に延び前記紙類を誘導する誘導面が形成された誘導板部を備え、
前記本体内には、差し込まれた前記紙類に接触する接触体を備え、
前記接触体は、前記誘導面との間に前記紙類が通過可能な空隙部を有するように配設され、
前記誘導板部は、側面視、前記空隙部に対応する位置よりも、前記本体の内側方向に膨らむ膨出部であって、前記空隙部に対応する位置の上方に設けられた上方膨出部及び／又は前記空隙部に対応する位置の下方に設けられた下方膨出部、を備えている、
ペーパーホルダーである。
（２）前記接触体は、ゴム弾性を有し、前記誘導面に対向する側から前記誘導面へ向けて、上方へ傾斜して伸びるように配設され、
前記本体の差込口には、前記接触体の下に、側面視、前記誘導面へ対向する側から、前記接触体の、前記紙類に接触する部分へ向けて斜め上方へ傾斜して伸びる、差込案内面が設けられているものである。
（３）前記接触体は、側面視、前記紙類に接触する一方端部が曲面状に形成されるとともに、他方端部側において凹部及び薄肉部が形成され、
前記誘導面に対向する側から、前記誘導面へ向けて、上方へ傾斜して伸びるように配設され、前記他方端部側において前記本体に支持されているものである。
【発明の効果】
【０００６】
（１）接触体は、紙類に接触する一方端部と誘導面との間に紙類が通過可能な空隙部を有するように配設されているため、紙類はこの空隙部を通過することができるため、紙類の差込がスムーズで容易である。また、差込口より差し込まれた紙類は、空隙部を通過するとともに、上方膨出部及び／又は下方膨出部を通過することにより、撓み湾曲した状態となって、接触体と上方膨出部及び／又は下方膨出部と当接するため、これらの摩擦力によって、紙類は下にずり落ちることなく、差し込まれた状態がそのまま保持される。
一方、保持された紙類を引き抜く際は、紙類は従来のように同一箇所で両側（紙の表裏）で押圧して狭持するものではないため、差し込まれた紙類は、大きな抵抗を生じることなく空隙部を通過することができ、したがって、紙類を引き抜きやすい。
（２）接触体は、ゴム弾性体を有する構成により、紙類と接触体の摩擦抵抗を発揮させやすいため、紙類を確実に保持することができる。また、誘導面に対向する側から、誘導面へ向けて、上方へ傾斜して伸びるように配設される構成により、紙類が差し込みやすくかつ確実に保持される。
そして、本体の差込口には、接触体の下に、側面視、誘導面へ対向する側から、接触体の一方端部近傍へ向けて斜め上方へ傾斜して伸びる、差込案内面が設けられている構成により、差し込む紙類の先端が摩擦抵抗の大きな接触体に直接に突き当たらず、先ず差込案内面に当たってから空隙部へと案内されるように、差込案内面が機能するので、紙類の差込みがスムーズに行われる。
（３）接触体は、側面視、紙類に接触する一方端部が曲面状に形成されるとともに、他方端部側において凹部及び薄肉部が形成され、前記誘導面に対向する側から、前記誘導面へ向けて、上方へ傾斜して伸びるように配設され、他方端部側において前記本体に支持されている構成により、紙類を差し込む際、紙類の差し込む際の抵抗が小さく、紙類をよりスムーズに差し込むことができる。また、差し込まれた状態の紙類に対して接触体が確実に接触し、紙類は確実に保持される。
また、簡易な構成であり、製造もしやすく、コストも低廉ですむ。
【図面の簡単な説明】
【０００７】
【図１】ペーパーホルダー１の側面図である。
【図２】ペーパーホルダー１の正面側から見た斜視図である。
【図３】接触体３０の斜視図である。
【図４】紙類Ｐを差し込んだ状態を示すペーパーホルダー１の側面図である。
【図５】紙類Ｐを引き抜く状態を示すペーパーホルダー１の側面図である。
【図６】他の実施例を示すペーパーホルダー１の側面図である。
【図７】他の実施例を示すペーパーホルダー１の側面図である。
【図８】他の実施例を示すペーパーホルダー１の側面図である。
【図９】他の実施例を示すペーパーホルダー１の側面図である。
【図１０】他の実施例を示すペーパーホルダー１の側面図である。
【図１１】他の実施例を示すペーパーホルダー１の側面図である。
【発明を実施するための形態】
【０００８】
本発明の実施例を挙げ、図面を参照して説明するが、本発明は以下の形態に限定されるものではない。
【実施例】
【０００９】
＜本体＞
ペーパーホルダー１は、本体１０と、本体１０に内装された、差し込まれる紙類に接触する接触体３０とを備えている。
本体１０は、二種の異なる断面を有する硬質の合成樹脂材（ＰＶＣなど）の成形品の組合せからなり、両者は着脱可能に係合し、一体化されて本体１０を形成し、下方に差込口３が形成されるようになっている。
二種の異なる断面を有する硬質の合成樹脂材の成形品は、それぞれ長尺物として押出し成形されたものを適宜長さに切断して使用することができる。
本体１０の大きさは、特に限定されないが、一例として、正面視、横長の矩形状であって、その上下方向の高さは３〜５ｃｍ程度、奥行きは１〜３ｃｍ程度、幅（正面部の幅）は２０ｃｍ〜５０ｍ程度のものが挙げられる。
【００１０】
本体１０は、紙類の差込み方向に沿って延び紙類を誘導する誘導面１１ａが形成された誘導板部１１を備えている。
誘導板部１１（誘導面１１ａ）は、側面視、上下方向に伸びる平坦な鉛直面ではなく、後述する空隙部４０に対応する位置よりも、本体１０の内側方向に膨らむ膨出部であって、空隙部４０に対応する位置の上方に設けられた上方膨出部１１ｃと、空隙部４０の下方に設けられた下方膨出部１１ｂとを備えている。下方膨出部１１ｂの位置に差込口３が設けられている。
空隙部４０から上方膨出部１１ｃへ至る領域は滑らかで傾斜の緩い斜面となっている。また、空隙部４０から下方膨出部１１ｂへ至る領域も滑らかで傾斜の緩い斜面となっている。したがって、下方膨出部１１ｂから空隙部４０を経て上方膨出部１１ｃに至る領域は、側面視弓なり状（弧状）に形成されている。
【００１１】
誘導板部１１の上端から起立して上面部１２が形成され、上面部１２の前端から下方に向けて正面部の主要部１３が形成されている。正面部の主要部１３の下方において、該正面部の主要部１３と対向するように内側に係止部１４が形成され、その間に凹部１５が形成されている。係止部１４の先端には、後述する接触体３０を押さえるための押さえ部１４ａが設けられている。
【００１２】
上記凹部１５に、本体１０の下方部を形成する成形部材１６の係合部１７が係合して、本体１０として一体化されるように構成されている。
本体１０の下方部を形成する成形部材１６は、正面部の一部１８が、正面部の主要部１３と面一となるように係合し、その下端から湾曲してから誘導板部１１へ向けて上方へ傾斜する傾斜面部１９が形成され、その端部に差込口３が形成されている。。
傾斜面部１９の内側には、接触体３０を配置するための凸部１９ａ，１９ｂ，１９ｃが設けられている。
【００１３】
＜接触体＞
図３は、接触体３０の斜視図である。
接触体３０は、シリコーンゴム等のエラストマー、クロロプレンゴム等の合成ゴム、その他のゴム弾性体からなる。例えば幅２〜５ｃｍ程度のものを、正面視、左右方向において、本体１０内に複数個並べて配設することができる。これにより、紙類を横方向に複数枚並べて差し込んだ場合でも、複数の接触体が独立的に動作するため、各紙類（紙片）が夫々確実に保持される。
接触体３０は、この実施例では板状片として形成されており、側面視、紙類に接触する一方端部３１が曲面状に形成され、他方端部側において凹部３２及び薄肉部３３が形成され、該凹部３２において、本体１０の傾斜面部１９の内側に設けられた凸部１９ｂに係止されて位置決めされる。また、薄肉部３３は、凸部１９ｂと、該凸部１９ｂと対向する位置にある押さえ部１４ａとによって、両側から支持され固定される。また、接触体３０の一方端部側は、凸部１９ｃに当接し、紙類Ｐを差し込まない初期状態（初期位置）が設定される。
これにより、接触体３０は、誘導面１１ａに対向する側から、誘導面１１ａへ向けて、上方へ傾斜して伸びるように配設され、また、薄肉部３３を支点として上方（差込方向）へ向けて揺動可能に設けられている。
【００１４】
そして、接触体３０は、紙類に接触するその一方端部３１と誘導面１１ａとの間に紙類が通過可能な空隙部４０を有するように配設されている。空隙部４０の距離（クリアランス）は、例えば、０．３〜１．０ｍｍ程度とすることができる。空隙部４０に対応する位置の上方に、誘導面１１の上方膨出部１１ｃが位置し、空隙部４０に対応する位置よりも下方に、下方膨出部１１ｂが位置する態様となっている。
上記空隙部４０の距離（クリアランス）を基準として、誘導面１１の空隙部４０の位置から上方膨出部１１ｃの頂部又は下方膨出部１１ｂの頂部までの上下方向の距離は、５〜１０ｍｍ程度、また、空隙部４０の位置から上方膨出部１１ｃの頂部又は下方膨出部１１ｂの頂部までの水平方向の距離（膨出部の高さ）は、１〜３ｍｍ程度とするのが好ましい一例として挙げられる。
前述のとおり、本体１０は、二種の異なる断面を有する硬質の合成樹脂材の成形品の組合せからなり、両者は着脱可能に係合するため、分解が可能である。また、接触体３０は、本体１０を分解することにより、取り外すことができるので、接触体３０が消耗したとき等、交換することができ、メンテナンス上も有利である。
【００１５】
＜動作＞
上記実施の形態の動作について、図４，５を参照して説明する。
図４は、紙類Ｐを差し込んだ状態を示すペーパーホルダー１の側面図である。
図５は、紙類Ｐを引き抜く状態を示すペーパーホルダー１の側面図である。
紙類Ｐを差込口３より、下方から上方へ向けて本体１０の内部へ差し込むと、紙類Ｐは、その先端が先ず下方膨出部１１ｂを超えて接触体３０に当たった後、誘導面１１ａとの間に形成された空隙部４０を通過する。ここで、接触体３０は、紙類Ｐの先端の突き上げにより薄肉部３３を支点として、上方へ揺動する。このため、空隙部４０の距離（接触体３０の一方端部３１と誘導面１１ａとのクリアランス）も大きくなるため、紙類Ｐの挿入が円滑に行われる。さらに紙類Ｐを内部へ差し込むと、紙類Ｐは上方膨出部１１ｃに至る斜面に誘導されながら、奥へと進入する。紙類Ｐの先端が上面部１２に突き当たると紙類Ｐの進入は停止される。
しかして、図４に示すように、紙類Ｐは、下方膨出部１１ｂと、接触体３０の一方端部３１と、上方膨出部１１ｃとに当接して撓み湾曲した状態となる。このため、これらの摩擦力によって、紙類は下にずり落ちることなく、差し込まれた状態がそのまま保持される。また、接触体３０の初期状態への復元力により、差し込まれた状態の紙類Ｐに対して押圧力が付与されるため、紙類は確実に保持される。
なお、上方膨出部１１ｃにほぼ対向するように、本体１０内に、側面視弧状の誘導片２０が設けられており、これにより、紙類Ｐの上方への誘導及び保持が適正に行われるようになっている。
【００１６】
一方、ペーパーホルダー１に保持された紙類Ｐを引き抜く（図５の下向き矢印方向）際は、接触体３０は紙類Ｐとの摩擦力と復元力によって、元の位置へ戻るように動くが、本体１０の傾斜面部１９の内側には凸部１９ｃが設けられているため、この凸部１９ｃが、接触体３０の下方（引き抜き方向）への動きを規制するストッパーとして機能するため、接触体３０の一方端部３１は凸部１９ｃに阻まれてそれよりも下方へ動くことはない。
したがって、接触体３０は紙類Ｐが差し込まれていない初期状態の位置に止まり、空隙部４０が無くなることなくそのクリアランスが保たれているため、差し込まれた紙類Ｐは、大きな抵抗を生じることなく空隙部４０を通過でき、したがって、紙類Ｐを引き抜きやすい。
【００１７】
図６及び図７は、他の実施例を示すペーパーホルダー１の側面図である。
図６に示すペーパーホルダー１は、図１〜５に示したものと異なり、下方膨出部１１ｂを欠如しており、上方膨出部１１ｃのみを設けている。
図７に示すペーパーホルダー１は、図１〜５に示したものと異なり、上方膨出部１１ｃを欠如しており、下方膨出部１１ｂのみを設けている。
図６及び図７に示すペーパーホルダー１においても、差し込んだ紙類Ｐは、上方膨出部１１ｃ又は下方膨出部１１ｂと、接触体３０の一方端部３１とに当接して撓み湾曲した状態となり、これらの摩擦力（さらには接触体３０の復元力）によって、紙類は下にずり落ちることなく、差し込まれた状態でそのまま保持することができる。
【００１８】
図８は、他の実施例を示すペーパーホルダー１の側面図である。
この実施例は、図１〜５に示したものと、基本的な構成は共通しているが、本体１０の差込口３における構成が特に相違しているため、この点について説明する。。
本体１０の下方部を形成する成形部材１６は、正面部の一部１８の下端から湾曲してから誘導板部１１へ向けて上方へ傾斜する傾斜面部１９が形成され、この傾斜面部１９に連続して、差込案内面１９ｄが形成されている。
すなわち、本体１０の差込口３には、接触体３０の下に、側面視、誘導面１１ａへ対向する側から、接触体３０の一方端部３１近傍へ向けて斜め上方へ傾斜して伸びる、差込案内面１９ｄが設けられている。
この差込案内面１９ｄの存在により、接触体３０の一方端部３１の下側は、図１〜５に示したものと異なり、差込案内面１９ｄによってほぼ覆われるようになっている。また、差込案内面１９ｄは、下方膨出部１１ｂから空隙部４０へ至る領域の緩やかな斜面とほぼ平行に近い態様で対向するように形成されている。
本体１０の差込口３における部分は、側面視、差込案内面１９ｄと、その本体１０の内側（接触体３０の下面が当接する部分）とで、側面視、鋭角的なくちばし状の形状を呈するものとなっている。
【００１９】
しかして、紙類を差込口３より、下方から上方へ向けて本体１０の内部へ差し込む際、差し込む紙類の先端は摩擦抵抗の大きな接触体に直接に突き当たらず、差込案内面１９ｄの存在により、先ず差込案内面１９ｄに当たってから空隙部４０へと案内されるように、差込案内面１９ｄが機能するので、空隙部４０の通過を含めた紙類の差込みがより抵抗感なくスムーズに行われる。
さらに、上方膨出部１１ｃにほぼ対向するように本体１０内に設けられた側面視弧状の誘導片２０は、側面視、上方膨出部１１ｃとの間隔が上側の方が狭くなるように設けられており、これにより、紙類Ｐの上方への誘導及び保持がより適正に行われるようになっている。
【００２０】
図９は、図８に示す実施例の変形例であるペーパーホルダー１の側面図である。
図８に示す実施例では、接触体３０は本体１０と別部材であり、接触体３０を本体１０内に内装するように組み立てて構成しているが、図９に示す実施例では、接触体３０は本体１０（成形部材１６）と一体的に結合している。接触体３０を散点ハッチングで示している。
本体１０はＰＶＣその他の硬質な合成樹脂であり、一方、接触体３０は、ゴム弾性を有し、比較的摩擦係数の高い熱可塑性エラストマーその他のエラストマーにより構成されている。この構成は、二色成形により製造することができ、組み立ての手間を省くことができる。
符号３５は、本体１０と接触体３０との結合部を示す。
図８に示す実施例と同様、本体１０の下方部を形成する成形部材１６は、正面部の一部１８の下端から湾曲してから誘導板部１１へ向けて上方へ傾斜する傾斜面部１９が形成され、この傾斜面部１９に連続して、差込案内面１９ｄが形成されている。
すなわち、本体１０の差込口３には、接触体３０の下に、側面視、誘導面１１ａへ対向する側から、接触体３０の一方端部３１近傍へ向けて斜め上方へ傾斜して伸びる、差込案内面１９ｄが設けられている。
この差込案内面１９ｄの存在により、接触体３０の一方端部３１の下側は、図１〜５に示したものと異なり、差込案内面１９ｄによってほぼ覆われるようになっている。また、差込案内面１９ｄは、下方膨出部１１ｂから空隙部４０へ至る領域の緩やかな斜面とほぼ平行に近い態様で対向するように形成されている。
本体１０の差込口３における部分は、側面視、差込案内面１９ｄと、その本体１０の内側（接触体３０の下面が当接する部分）とで、側面視、鋭角的なくちばし状の形状を呈するものとなっている。
【００２１】
しかして、紙類を差込口３より、下方から上方へ向けて本体１０の内部へ差し込む際、差し込む紙類の先端は摩擦抵抗の大きな接触体に直接に突き当たらず、差込案内面１９ｄの存在により、先ず差込案内面１９ｄに当たってから空隙部４０へと案内されるように、差込案内面１９ｄが機能するので、空隙部４０の通過を含めた紙類の差込みがより抵抗感なくスムーズに行われる。
【００２２】
図１０は、図９に示す実施例の変形例であるペーパーホルダー１の側面図である。
図９に示す実施例では、本体１０は、二種の異なる断面を有する硬質の合成樹脂材の成形品の組合せからなっているが、図１０に示す実施例では、本体１０を単一の成形品として構成している点が、図９に示す実施例と相違している。これにより、本体の組立て作業等の手間を省くことができる。
また、接触体３０は、二色成形等により、本体１０と一体化されている。符号３５は、本体１０と接触体３０との結合部を示す。その他は、図９に示す実施例とほぼ同様であるため、その説明を省略する。
【００２３】
図１１は、図１０に示す実施例の変形例であるペーパーホルダー１の側面図である。
本体１０を単一の成形品として構成している点は、図１０に示す実施例と同様であるが、接触体３０の形態、配置構成が、前述した各実施例のものと相違している。
すなわち、本体１０の正面部の下端から湾曲してから誘導板部１１へ向けて上方へ傾斜する傾斜面部１９が形成され、この傾斜面部１９に連続して、差込案内面１９ｄが形成されており、この差込案内面１９ｄの端部厚み部１９ｅの上側に、側面視ほぼ半球状の接触体３０が設けられている。
符号３５は、本体１０と接触体３０との結合部を示す。
図８〜１０に示した実施例と同様、本体１０はＰＶＣその他の硬質な合成樹脂であり、一方、接触体３０は、ゴム弾性を有し、比較的摩擦係数の高い熱可塑性エラストマーその他のエラストマーにより構成されている。二色成形により製造することができ、組み立ての手間を省くことができる。
また、図８〜１０に示した実施例と同様、差し込む紙類の先端は摩擦抵抗の大きな接触体３０に直接に突き当たらず、差込案内面１９ｄの存在により、先ず差込案内面１９ｄに当たってから空隙部４０へと案内されるように、差込案内面１９ｄが機能するので、空隙部４０の通過を含めた紙類の差込みがより抵抗感なくスムーズに行われる。
【００２４】
ペーパーホルダー１の設置手段、設置場所は限定されない。本体の１０の裏面（誘導板部１１の外面）や上面部１２に粘着テープを貼り付けたり、マグネットを設ける等の各種取付け手段を用いて任意の場所に設置することができる。あるいは、基板その他の適宜補助部材を介して設置することができる。
飲食店の厨房等において、注文を受けた、伝票類等の紙片を複数枚横に並べて保持するのに好適に使用されるが、各種店舗、オフィス、工場、作業所、家庭その他、様々な使用において有益である。
【符号の説明】
【００２５】
１   ペーパーホルダー
３  差込口
１０  本体
１１  誘導板部
１１ａ  誘導面
１１ｂ  下方膨出部
１１ｃ  上方膨出部
１９ｄ  差込案内面
３０  接触体
３１  接触体の一方端部
３２  凹部
３３  薄肉部
４０  空隙部
Ｐ  紙類
【図１】
2019199075.tif 000003
【図２】
2019199075.tif 000004
【図３】
2019199075.tif 000005
【図４】
2019199075.tif 000006
【図５】
2019199075.tif 000007
【図６】
2019199075.tif 000008
【図７】
2019199075.tif 000009
【図８】
2019199075.tif 000010
【図９】
2019199075.tif 000011
【図１０】
2019199075.tif 000012
【図１１】
2019199075.tif 000013